(57)【要約】  本発明の液晶モニタは、外部から供給される外部ＤＣ電圧の電圧値を、液晶モニタ内の一の回路に供給される第１内部ＤＣ電圧の電圧値に変換する第１の電圧変換回路（ＤＣ−ＤＣコンバータ）（２２）と、外部ＤＣ電圧の電圧値を、液晶モニタにおける液晶パネルのバックライトの駆動に用いる第２内部ＤＣ電圧の電圧値に変換する第２の電圧変換回路（バックライト制御装置）（１４）とを有する。  本発明によると、搭載するバッテリーユニットを１つとすることができて、バッテリーユニットを搭載した液晶モニタの重量を従来に比較して増加させないことが有利な点である。
2012053094.tif 000002
【特許請求の範囲】
【請求項１】
外部から供給される外部ＤＣ電圧の電圧値を、液晶モニタ内の一の回路に供給する当該第１内部ＤＣ電圧の電圧値に変換する第１の電圧変換回路と、
前記外部ＤＣ電圧の電圧値を、前記液晶モニタにおける液晶パネルのバックライトの駆動に用いる第２内部ＤＣ電圧の電圧値に変換する第２の電圧変換回路と
を有することを特徴とする液晶モニタ。
【請求項２】
前記第１内部ＤＣ電圧の電圧値を、前記液晶モニタ内の他の回路に供給する第３内部ＤＣ電圧の電圧値に変換する第３の電圧変換回路をさらに有することを特徴とする請求項１に記載の液晶モニタ。
【請求項３】
前記第１の電圧変換回路が前記外部ＤＣ電圧を降圧して前記第１内部ＤＣ電圧を生成し、
前記第２の電圧変換回路が前記外部ＤＣ電圧を昇圧して前記第２内部ＤＣ電圧を生成し、
前記第３の電圧変換回路が前記第１内部ＤＣ電圧を降圧して前記第３内部ＤＣ電圧を生成する
ことを特徴とする請求項２に記載の液晶モニタ。
【請求項４】
前記外部ＤＣ電圧、前記第１内部ＤＣ電圧、前記第３内部ＤＣ電圧、前記第２内部ＤＣ電圧の各電圧値は、
第２内部ＤＣ電圧の電圧値＞外部ＤＣ電圧の電圧値＞第１内部ＤＣ電圧の電圧値＞第３内部ＤＣ電圧の電圧値
の関係を有する
ことを特徴とする請求項２または請求項３に記載の液晶モニタ。
【請求項５】
前記外部ＤＣ電圧が、単一電圧を出力するバッテリーユニットから供給されていることを特徴とする請求項１から請求項４のいずれか１項に記載の液晶モニタ。
【請求項６】
前記外部ＤＣ電圧が、ＡＣアダプタから供給されていることを特徴とする請求項１から請求項４のいずれか１項に記載の液晶モニタ。
【請求項７】
前記外部ＤＣ電圧の電圧値を検出し、検出された電圧値と予め設定された閾値電圧と比較し、当該閾値電圧より前記検出された電圧値が低い場合、電圧が低下したことを示す電圧低下信号を前記他の回路へ出力する電圧監視回路をさらに有し、
前記他の回路は、前記電圧低下信号が供給されると、ＯＳＤ機能により、前記外部ＤＣ電圧の電圧値が低いことを液晶パネルに画像表示させる
ことを特徴とする請求項２から請求項６のいずれか１項に記載の液晶モニタ。
【発明の詳細な説明】
【技術分野】
【０００１】
本発明は、液晶モニタ（液晶ディスプレイ）に関する。
【背景技術】
【０００２】
従来より、映像表示装置として、装置の外部からの映像信号を液晶画面に表示する液晶モニタが多用されている。
液晶モニタは、一般的に駆動、すなわち外部から供給される映像入力信号を画像処理し、表示画面に画像を表示するために必要な電源を、外部電源から供給される構成になっている。【０００３】
図３は従来の液晶モニタ１１０の構成を示す図である。例えば、この液晶モニタ１１０は、電源回路３０５、電源供給ブロックＡ３０２、電源供給ブロックＢ３０３、液晶パネル４を備えている。
電源回路３０５は、電源出力回路３０６及び３０７を備えている。この電源出力回路３０６は、外部のコンセントから、コンセントプラグ２０１及びＡＣ（Alternating Current）電源供給線３００を介して供給されるＡＣ電源（例えば１００Ｖ〜２４０Ｖ）を、電源供給ブロックＢ３０３へ供給するＤＣ（Direct Current）電圧、例えば電圧値１９ＶのＤＣ電圧に変換し、この電源供給ブロックＢ３０３へ供給する。また、電源出力回路３０７は、上述したＡＣ電源の電圧を、電源供給ブロックＡ３０２へ供給する電圧値のＤＣ電圧に変換し、例えば電圧値５ＶのＤＣ電圧に変換して、電源供給ブロックＡ３０２へ供給する。【０００４】
電源供給ブロックＡ３０２は、ＤＣ／ＤＣコンバータ１８、ＣＰＵ回路群１１、映像処理回路１２、液晶表示制御回路１３を備えている。
ＤＣ／ＤＣコンバータ１８は、ＤＣ電源供給線３０９を介し、電源出力回路３０７から供給される５ＶのＤＣ電圧を変換、すなわち降圧し、他のＤＣ電圧を生成し、例えば１．９ＶのＤＣ電圧を生成し、ＣＰＵ（Central Processing Unit）回路群１１へ、ＤＣ電源供給線２０７を介して、生成した電圧値が１．９ＶのＤＣ電圧を供給する。このＣＰＵ回路群１１は、ＣＰＵ、メモリ等のチップセットを含む複数の１．９Ｖを駆動電圧とする半導体チップを有している。【０００５】
また、ＤＣ／ＤＣコンバータ１８、映像処理回路１２、液晶表示制御回路１３には、電源出力回路３０７から電圧値が５ＶのＤＣ電圧が電源として供給される。同様に、ＣＰＵ回路群１１にも、電源出力回路３０７から電圧値が５ＶのＤＣ電圧が電源として供給される。【０００６】
映像処理回路１２は、制御信号線２０９を介してＣＰＵ回路群１１から供給される映像制御信号により、外部から映像入力信号線１０１を介して供給される映像入力信号に対し、液晶パネル４に表示させるための画像処理を行う。そして、映像処理回路１２は、画像処理を行った画像データを、映像信号線２１０を介して液晶制御回路１３に対して出力する。【０００７】
液晶制御回路１３は、供給される画像データにより、液晶表示制御線２１３を介して、液晶パネル４内の液晶表示装置１５を制御するとともに、電源供給線２１４を介して、５ＶのＤＣ電圧を液晶表示装置１５に供給する。液晶表示装置１５は、供給される画像データにより、液晶素子を制御して画像表示を行う。【０００８】
電源供給ブロックＢ３０３は、バックライト制御装置１４を備えている。このバックライト制御装置１４は、電源出力回路３０６からＤＣ電源供給線３０８を介してＤＣ電圧として１９Ｖが供給され、ＣＰＵ回路群１１からバックライト制御信号線２０８を介してバックライト制御信号が供給される。【０００９】
また、バックライト制御装置１４は、内部に電圧変換回路（例えば、ＤＣ／ＤＣコンバータ）を有し、供給されるＤＣ電圧の電圧値１９Ｖを、４０Ｖから５０Ｖ程度に昇圧し、バックライト用電源供給線２１２を介し、この電圧値が４０ＶのＤＣ電圧を駆動電圧としてバックライト１６へ供給し、入力するバックライト制御信号により、バックライト制御出力信号線２１１を介し、バックライト１６の制御を行う。【００１０】
すなわち、液晶モニタは、外部から供給される電源を、内部の電源回路により、内部の各回路ブロックの駆動に必要な電圧値のＤＣ電圧に変換し、これら回路ブロックに対して供給している（例えば、特許文献１参照）。【００１１】
例えば、図３の液晶表示モニタにおいては、コンセントプラグ２０１及びＡＣ電源供給線３００を介して供給されるＡＣ電源から電源回路により、液晶表示モニタ内の各回路で使用する複数の異なる電圧値のＤＣ電圧を生成し、各回路に供給されている。
しかし、外部にバッテリーを設け、このバッテリーから内部回路で使用するＤＣ電圧を供給しようとする場合、各内部回路で用いる複数の電圧値のＤＣ電圧を供給する。このため、従来の液晶モニタは、複数個のバッテリーを搭載する必要があり、これら複数のバッテリーの搭載により液晶モニタの重量が増加し、携帯機器の表示装置として用いることができないという欠点がある。
【先行技術文献】
【特許文献】
【００１２】
【特許文献１】特開２０００−２９０２５号公報
【発明の概要】
【発明が解決しようとする課題】
【００１３】
解決しようとする問題点は、内部回路で用いる複数の異なる電圧値のＤＣ電圧を外部から得る場合、この複数の異なる電圧値のＤＣ電圧を得るために複数のバッテリーを搭載することが必要となり、液晶モニタの重量が増加する点である。
【課題を解決するための手段】
【００１４】
本発明の液晶モニタは、外部から供給される外部ＤＣ電圧の電圧値を、液晶モニタ内の一の回路に供給する当該第１内部ＤＣ電圧の電圧値に変換する第１の電圧変換回路と、前記外部ＤＣ電圧の電圧値を、前記液晶モニタにおける液晶パネルのバックライトの駆動に用いる第２内部ＤＣ電圧の電圧値に変換する第２の電圧変換回路とを有することを特徴とする。【００１５】
本発明の液晶モニタは、前記第１内部ＤＣ電圧の電圧値を、前記液晶モニタ内の他の回路に供給する第３内部ＤＣ電圧の電圧値に変換する第３の電圧変換回路をさらに有することを特徴とする。【００１６】
本発明の液晶モニタは、前記第１の電圧変換回路が前記外部ＤＣ電圧を降圧して前記第１内部ＤＣ電圧を生成し、前記第２の電圧変換回路が前記外部ＤＣ電圧を昇圧して前記第２内部ＤＣ電圧を生成し、前記第３の電圧変換回路が前記第１内部ＤＣ電圧を降圧して前記第３内部ＤＣ電圧を生成することを特徴とする。【００１７】
本発明の液晶モニタは、前記外部ＤＣ電圧、前記第１内部ＤＣ電圧、前記第３内部ＤＣ電圧、前記第２内部ＤＣ電圧の各電圧値は、第２内部ＤＣ電圧の電圧値＞外部ＤＣ電圧の電圧値＞第１内部ＤＣ電圧の電圧値＞第３内部ＤＣ電圧の電圧値の関係を有することを特徴とする。【００１８】
本発明の液晶モニタは、前記外部ＤＣ電圧が、単一電圧を出力するバッテリーユニットから供給されていることを特徴とする。【００１９】
本発明の液晶モニタは、前記外部ＤＣ電圧が、ＡＣアダプタから供給されていることを特徴とする。【００２０】
本発明の液晶モニタは、前記外部ＤＣ電圧の電圧値を検出し、検出された電圧値と予め設定された閾値電圧と比較し、当該閾値電圧より前記検出された電圧値が低い場合、電圧が低下したことを示す電圧低下信号を前記他の回路へ出力する電圧監視回路をさらに有し、前記他の回路は、前記電圧低下信号が供給されると、ＯＳＤ機能により、前記外部ＤＣ電圧の電圧値が低いことを液晶パネルに画像表示させることを特徴とする。
【発明の効果】
【００２１】
本発明の液晶モニタは、外部から供給される単一の電圧値の外部ＤＣ電圧から内部の各回路で使用する複数の内部ＤＣ電圧を、内部の電圧変換回路によりそれぞれ生成するため、外部からバッテリーユニットを用いて直接にＤＣ電圧が供給される場合、外部から複数の異なる電圧値のＤＣ電圧を直接に供給する必要がなく、搭載するバッテリーユニットを１つとすることができ、バッテリーユニットを搭載した液晶モニタの重量を従来に比較して増加させないことが有利な点である。
【図面の簡単な説明】
【００２２】
【図１】本発明の実施形態によるバッテリー駆動液晶モニタの外観図である。
【図２】本発明の実施形態によるバッテリー駆動液晶モニタの実施方法を示した説明図である。
【図３】従来のバッテリー駆動液晶モニタの実施方法を示した説明図である。
【発明を実施するための形態】
【００２３】
本発明の液晶モニタ（バッテリー駆動液晶モニタ）は、外部から１種類の電圧値のＤＣ電圧を電源として供給する構成とし、内部電圧変換回路（ＤＣ／ＤＣコンバータ）により内部回路で使用される複数の電圧値のＤＣ電源を生成する構成とすることにより、外部に設けるバッテリーユニットを１つで済むようにし、液晶モニタの重量を低減することを実現した。
また、本発明の液晶モニタは、外部から供給される電源としてのＤＣ電圧の電圧値を、最終的に昇圧及び降圧して用いる電圧値の中央値あるいは中央値近傍に設定することにより、外部から供給される電圧値を、内部回路により使用する複数の電圧値へ効率的に変換できるようにし、電圧変換時における消費電力を低減させ、バッテリーユニットによる駆動時間を延ばすことを実現した。
【実施例１】
【００２４】
図１は、本発明装置の１実施例によるバッテリー駆動液晶モニタ（以下、液晶モニタ）の外観図である。
液晶モニタ１は、電源供給ブロック３、液晶パネル４を備えている。電源供給ブロック３は、単一の電圧値を出力とするバッテリーユニット２からＤＣ電源供給線１００を介して、またはＡＣアダプタ２００からＡＣ電源供給線２０２を介して、いずれかから外部電源の出力するＤＣ電圧（以下、外部ＤＣ電圧）の供給を受けている。ＤＣ電源供給線１００は、一端がバッテリーユニット２の出力端子に接続され、他端に端子１５１が接続されている。また、ＡＣ電源供給線２０２は、一端がＡＣアダプタ２００の出力端子に接続され、他端が端子１５２に接続されている。このため、電源供給ブロック３は、端子１５１及び端子１５２のいずれにも共通に接続することができる電源入力端子１５０を有しており、ＤＣ電源供給線１００またはＡＣ電源供給線２０２が接続される構成となっている。ＡＣアダプタ２００は、コンセントプラグ２０１が図示しないＡＣ電源のコンセントに差し込まれる。【００２５】
図２は、本実施例における液晶モニタ１の構成例を示す図である。図３と同様の構成には同一の符号を付し、説明を省略する。この図において、液晶モニタ１は、電源供給ブロック３と液晶パネル４を備えている。電源供給ブロック３は、ＣＰＵ回路群１１、映像処理回路１２、液晶表示制御回路１３、バックライト制御装置１４、電圧監視回路１７、ＤＣ／ＤＣコンバータ２１、ＤＣ／ＤＣコンバータ２２を備えている。【００２６】
バッテリーユニット２は、第１外部ＤＣ電圧として、１９Ｖの電圧値のＤＣ電圧を、ＤＣ電源供給線１００を介し、電源供給ブロック３に対して供給する。
ＡＣアダプタ２００は、外部のコンセントから、コンセントプラグ２０１を介して供給されるＡＣ電源（例えば、電圧値１００Ｖ〜２４０Ｖ）を、電源供給ブロックＢ３０３へ供給する第２外部ＤＣ電圧の電圧値、例えば１９Ｖに変換して、ＤＣ電源供給線２０２を介して、電源供給ブロックＢ３０３へ供給する。このＡＣアダプタ２００は、出力する第２外部ＤＣ電圧（１９Ｖ）の電圧値を、バッテリーユニット２の出力する第１外部ＤＣ電圧（１９Ｖ）の電圧値と同一に設定する。ここで、本実施例においては、第１外部ＤＣ電圧と第２外部ＤＣ電圧との電圧値の差が、予め設定された電圧値以内、例えば３Ｖ以内であれば、第１外部ＤＣ電圧と第２外部ＤＣ電圧との電圧値が等しいとする。【００２７】
ＤＣ／ＤＣコンバータ２２は、バッテリーユニット２の出力する第１外部ＤＣ電圧と、ＡＣアダプタ２００の出力する第２外部ＤＣ電圧とのいずれかが供給され、供給された外部ＤＣ電圧の電圧値を変換し、すなわち降圧して第１内部ＤＣ電圧の電圧値とし、例えば電圧値５Ｖに変換して出力する。
ＤＣ／ＤＣコンバータ２２は、生成した第１内部ＤＣ電圧（５Ｖ）を、ＤＣ／ＤＣコンバータ２１、ＣＰＵ回路群１１、映像処理回路１２、液晶表示制御回路１３、バックライト制御装置１４、電圧監視回路１７のそれぞれに供給する。【００２８】
バックライト制御装置１４は、バックライト１６を駆動させるための駆動電圧として、電源入力端子１５０から供給される第１外部ＤＣ電圧あるいは第２外部ＤＣ電圧を昇圧して、第２内部ＤＣ電圧（例えば、電圧値４０Ｖから５０Ｖ）を生成し、バックライト用電源供給線２１２を介して、バックライト１６へ生成した第２内部ＤＣ電圧を供給する。バックライト１６は、例えば、液晶表示装置１５の液晶素子から構成される液晶パネル４の表示画面の裏面に設置される。そして、バックライト１６は、バックライト制御装置１４からのバックライト制御信号により指示された照度で、表示画面における液晶素子に対して光を照射する。【００２９】
ＤＣ／ＤＣコンバータ２１は、供給される第１内部ＤＣ電圧の電圧値を変換し、すなわち降圧して、ＣＰＵ回路群１１の動作に必要な電圧値の第３内部ＤＣ電圧を生成し、例えば電圧値１．９Ｖの第３内部ＤＣ電圧を生成し、生成した第３内部ＤＣ電圧をＣＰＵ回路群１１へ供給する。
上述したように、外部ＤＣ電圧である第１外部ＤＣ電圧または第２外部ＤＣ電圧、第１内部ＤＣ電圧、第２内部ＤＣ電圧、第３内部ＤＣ電圧の各電圧値は、
第２内部ＤＣ電圧の電圧値＞外部ＤＣ電圧の電圧値＞第１内部ＤＣ電圧の電圧値＞第３内部ＤＣ電圧の電圧値
の関係となっている。【００３０】
ＣＰＵ回路群１１は、第１内部ＤＣ電圧と第３内部ＤＣ電圧との２つの電圧値が供給されている。ここで、ＣＰＵ回路群１１は、第３内部ＤＣ電圧で稼動し、映像処理回路１２、液晶表示制御回路１３、バックライト制御装置１４、電圧監視回路１７のそれぞれと制御信号またはデータの送受信を行う場合に、電圧信号のレベル変換に第１内部ＤＣ電圧を用いている。【００３１】
ＣＰＵ回路群１１は、内部のメモリに記憶されているプログラム等により、映像処理回路１２における映像入力信号の処理の制御を行う。この際、ＣＰＵ回路群１１は、自身内におけるチップ間の信号の送受信を、相互に接続された信号線を第３内部ＤＣ電圧によりレベル制御し、バックライト制御装置１４及び映像処理回路１２との信号の送受信を、相互に接続された信号線を第１内部ＤＣ電圧によりレベル制御して行うため、第１内部ＤＣ電圧及び第３内部ＤＣ電圧の双方が供給されている。
映像処理回路１２は、映像入力信号線１０１を介して外部から供給される映像入力信号を、液晶パネル４の表示画面に表示する画像データ（例えば、ＲＧＢ（Ｒｅｄ：赤、Ｇｒｅｅｎ：緑、Ｂｌｕｅ：青）の階調度を示すデータ）に変換する処理を行う。【００３２】
そして、液晶表示制御回路１３は、映像処理回路１２から供給される画像データを、液晶表示装置１５におけるマトリクス状に配置されている液晶素子の画素位置に、対応する画像データを供給する制御を行う。
液晶表示装置１５は、映像表示制御回路１３から供給される画像データを、対応する画素位置の液晶素子に書き込み、映像入力信号に対応する画像を、液晶パネル４の表示画面に表示する。【００３３】
バックライト制御装置１４は、バックライト制御線２０８を介して、ＣＰＵ回路群１１から供給されるバックライト制御信号により、液晶パネル４におけるバックライト１６の点灯あるいは画像データの階調度に対応した照度の制御を行う。また、バックライト制御装置１４は、内部にＤＣ／ＤＣコンバータ等の電圧変換回路が設けられており、電源入力端子１５０から供給される第１外部ＤＣ電圧または第２外部ＤＣ電圧の電圧値（１９Ｖ）を、たとえば４０Ｖの第２内部ＤＣ電圧に変換する。この第２内部ＤＣ電圧は、バックライト１６におけるＬＥＤ（Light Emitting Diode）、冷陰極蛍光ランプ等に供給される。さらに、バックライト制御装置１４は、バックライト１６におけるＬＥＤ、冷陰極蛍光ランプ等に対し、点灯時の照度の制御を行う。【００３４】
上述したように、本実施形態においては、外部から供給されるＤＣ電圧の電圧値を１９Ｖの１種類として、内部で必要な複数のＤＣ電圧を生成する構成としたため、バッテリーによりＤＣ電圧を供給する際、１９Ｖを出力するバッテリーユニット２を１つ設けることのみで液晶モニタ１を稼働させることができ、複数のバッテリーから必要なＤＣ電圧を供給する必要が無くなり、搭載するバッテリー数を低減させ、バッテリーを複数搭載する場合に比較して液晶モニタ１の重量を低減することが可能となる。【００３５】
また、本実施例においては、外部から直接にＤＣ電圧を供給する構成としたため、従来のようにＡＣ電圧をＤＣ電源に変換するための電源回路を必要とせず、この電源回路を設けないために液晶モニタの構成規模を小さくでき、重量を低減化することができる。【００３６】
また、本実施例においては、バッテリーユニット２からの第１外部ＤＣ電圧と、ＡＣアダプタ２００からの第２外部ＤＣ電圧との電圧値を同一とすることにより、いずれの電圧から内部の回路の電圧を生成するためのＤＣ／ＤＣコンバータ２２を１つ設けることで対応でき、すなわち、第１内部ＤＣ電圧を生成する際に、ＤＣ／ＤＣコンバータ２２を第１外部ＤＣ電圧及び第２外部ＤＣ電圧の双方に対して共通に使用することができ、電源変換回路数を低減することができる。【００３７】
また、本実施例においては、ＤＣ／ＤＣコンバータ２１によりＣＰＵ回路群１１へ供給する１．９Ｖの第３内部ＤＣ電圧を生成し、バックライト制御装置１４により例えば４０Ｖの第２内部ＤＣ電圧を生成するため、第１外部ＤＣ電圧及び第２外部ＤＣ電圧の電圧を、第３内部ＤＣ電圧と第２内部ＤＣ電圧との中央近傍の電圧値である１９Ｖに設定している。【００３８】
これは、ＤＣ電圧をＤＣ／ＤＣコンバータ等により、昇圧及び降圧する場合、変換する電圧値差が大きいと、すなわち第１外部ＤＣ電圧（あるいは第２外部ＤＣ電圧）と第１内部ＤＣ電圧、あるいは第１外部ＤＣ電圧（あるいは第２外部ＤＣ電圧）と第２内部ＤＣ電圧との電圧差が大きいと、変換時におけるエネルギー効率が低下するため、昇圧及び降圧の電圧値差を低減させるため、第１外部ＤＣ電圧の電圧値を昇圧及び降圧する電圧値間の中央近傍に設定し、昇圧及び降圧におけるエネルギー効率を向上させている。【００３９】
また、本実施形態には、外部から供給される電源の電圧値を監視する電圧監視回路１７が設けられている。この電圧監視回路１７は、電源供給ブロック３に供給される外部ＤＣ電圧（第１外部ＤＣ電圧または第２外部ＤＣ電圧）の電圧値を検出し、この検出された電圧値が予め設定された閾値電圧値以上であるか、下回っているかのいずれであるかの判定を行う。【００４０】
そして、電圧監視回路１７は、電源供給ブロック３に供給されている電圧が設定された閾値電圧値を下回っている場合、電圧監視信号線２１１を介し、ＣＰＵ回路分１１に対して電圧低下信号を出力する。この閾値電圧値は、ＤＣ／ＤＣコンバータ２２が第１内部ＤＣ電圧の電圧値５Ｖに降圧できる下限値、及びバックライト制御装置１４が第２内部ＤＣ電圧の電圧値４０Ｖまで昇圧できる下限値のいずれか高い方の電圧値に対し、予め設定した時間分動作可能な実験値により求めたマージンを加算して設定されている。【００４１】
このとき、ＣＰＵ回路群１１は、電圧監視回路１７から電圧低下信号が供給されると、予めプログラムに含まれているＯＳＤ（On Screen Display）機能の処理により、液晶パネル４の表示画面に対して、外部から供給される電圧、例えばバッテリーユニット２から供給される第１外部ＤＣ電圧の電圧値、またはＡＣアダプタ２００からの第２外部ＤＣ電圧の電圧値が予め設定されている閾値電圧値以上でない場合、すなわちこの閾値電圧値を下回っている場合にアラーム（警告）を表示して通知させる。【００４２】
また、電圧監視回路１７は、バッテリーユニット２あるいはＡＣアダプタ２００のどちらが用いられているかを検出するスイッチ回路、例えばバッテリーユニット２を搭載する部分に設けられ、バッテリーユニット２の有無を検出するスイッチ回路から、バッテリーユニット２及びＡＣアダプタ２００のどちらから外部ＤＣ電圧が供給されているかを示す情報を受ける。そして、電圧監視回路１７は、外部ＤＣ電圧として、バッテリーユニット２から第１外部ＤＣ電圧が供給されている場合、アラームを表示する際に、現在、バッテリーユニット２から第１外部ＤＣ電圧が供給されていることを示す表示を、アラームの表示と同様にＯＳＤの機能を用いて行う。例えば、電圧監視回路１７は、バッテリーユニット２の出力する第１ＤＣ電圧の電圧値が低い、あるいは電池マークの残量のレベル表示などを行う制御信号を、ＣＰＵ回路群１１に対して出力する。【００４３】
一方、電圧監視回路１７は、ＡＣアダプタ２００から第２外部ＤＣ電圧が供給されている場合、アラームを表示する際に、現在、ＡＣアダプタ２００から第２外部ＤＣ電圧が供給されていることを示す表示を、アラームの表示と同様にＯＳＤの機能を用いて行う。例えば、電圧監視回路１７は、ＡＣアダプタの電源が低い、あるいはコンセントプラグの表示などを行う制御信号を、ＣＰＵ回路群１１に対して出力する。
【産業上の利用可能性】
【００４４】
内部回路を複数の異なる電圧値のＤＣ電圧にて駆動する電子機器において、この電子機器をバッテリーユニットからの単一のＤＣ電圧により駆動させようとした場合、本実施形態による電圧変換の機能及び外部ＤＣ電圧の電圧値の設定を用いることにより、本実施例と同様にバッテリーユニット数を低減させ、バッテリーユニットから供給される外部ＤＣ電圧の電圧値を、電子機器の内部回路の使用するＤＣ電圧の電圧値に変換する際のエネルギー効率を向上させ、バッテリーの寿命を延ばすことができる。
【符号の説明】
【００４５】
１      液晶モニタ
２      バッテリーユニット
３      電源供給ブロック
４      液晶パネル
１１    ＣＰＵ回路群
１２    映像処理回路
１３    液晶表示制御回路
１５    液晶表示装置
１６    バックライト
１７    電圧監視回路
２１，２２    ＤＣ／ＤＣコンバータ
１００  ＤＣ電源供給線
１０１  映像入力信号線
１５０  電源入力端子
１５１，１５２  端子
２００  ＡＣアダプタ
２０１  コンセントプラグ
２０２  ＡＣ電源供給線
【図１】
2012053094.tif 000003
【図２】
2012053094.tif 000004
【図３】
2012053094.tif 000005
【手続補正書】
【提出日】平成25年4月22日(2013.4.22)
【手続補正１】
【補正対象書類名】明細書
【補正対象項目名】００２４
【補正方法】変更
【補正の内容】
【００２４】
図１は、本発明の一実施例によるバッテリー駆動液晶モニタ（以下、液晶モニタ）の外観図である。
液晶モニタ１は、電源供給ブロック３、液晶パネル４を備えている。電源供給ブロック３は、単一の電圧値を出力とするバッテリーユニット２からＤＣ電源供給線１００を介して、またはＡＣアダプタ２００からＡＣ電源供給線２０２を介して、いずれかから外部電源の出力するＤＣ電圧（以下、外部ＤＣ電圧）の供給を受けている。ＤＣ電源供給線１００は、一端がバッテリーユニット２の出力端子に接続され、他端に端子１５１が接続されている。また、ＡＣ電源供給線２０２は、一端がＡＣアダプタ２００の出力端子に接続され、他端が端子１５２に接続されている。このため、電源供給ブロック３は、端子１５１及び端子１５２のいずれにも共通に接続することができる電源入力端子１５０を有しており、ＤＣ電源供給線１００またはＡＣ電源供給線２０２が接続される構成となっている。ＡＣアダプタ２００は、コンセントプラグ２０１が図示しないＡＣ電源のコンセントに差し込まれる。
【手続補正２】
【補正対象書類名】明細書
【補正対象項目名】００３１
【補正方法】変更
【補正の内容】
【００３１】
ＣＰＵ回路群１１は、内部のメモリに記憶されているプログラム等により、映像処理回路１２における映像入力信号の処理の制御を行う。この際、ＣＰＵ回路群１１は、自身内におけるチップ間の信号の送受信を、相互に接続された信号線を第３内部ＤＣ電圧によりレベル制御し、バックライト制御装置１４及び映像処理回路１２との信号の送受信を、相互に接続された信号線を第１内部ＤＣ電圧によりレベル制御して行うため、第１内部ＤＣ電圧及び第３内部ＤＣ電圧の双方が供給されている。
映像処理回路１２は、映像入力信号線１０１を介して外部から供給される映像入力信号を、液晶パネル４の表示画面に表示する画像データ（例えば、ＲＧＢ（赤、緑、青）の階調度を示すデータ）に変換する処理を行う。
【手続補正３】
【補正対象書類名】明細書
【補正対象項目名】００４０
【補正方法】変更
【補正の内容】
【００４０】
そして、電圧監視回路１７は、電源供給ブロック３に供給されている電圧が設定された閾値電圧値を下回っている場合、電圧監視信号線２１５を介し、ＣＰＵ回路群１１に対して電圧低下信号を出力する。この閾値電圧値は、ＤＣ／ＤＣコンバータ２２が第１内部ＤＣ電圧の電圧値５Ｖに降圧できる下限値、及びバックライト制御装置１４が第２内部ＤＣ電圧の電圧値４０Ｖまで昇圧できる下限値のいずれか高い方の電圧値に対し、予め設定した時間分動作可能な実験値により求めたマージンを加算して設定されている。
【手続補正４】
【補正対象書類名】明細書
【補正対象項目名】００４２
【補正方法】変更
【補正の内容】
【００４２】
また、電圧監視回路１７は、バッテリーユニット２あるいはＡＣアダプタ２００のどちらが用いられているかを検出するスイッチ回路、例えばバッテリーユニット２を搭載する部分に設けられ、バッテリーユニット２の有無を検出するスイッチ回路から、バッテリーユニット２及びＡＣアダプタ２００のどちらから外部ＤＣ電圧が供給されているかを示す情報を受ける。そして、電圧監視回路１７は、外部ＤＣ電圧として、バッテリーユニット２から第１外部ＤＣ電圧が供給されている場合、アラームを表示する際に、現在、バッテリーユニット２から第１外部ＤＣ電圧が供給されていることを示す表示を、アラームの表示と同様にＯＳＤの機能を用いて行う。例えば、電圧監視回路１７は、バッテリーユニット２の出力する第１外部ＤＣ電圧の電圧値が低い、あるいは電池マークの残量のレベル表示などを行う制御信号を、ＣＰＵ回路群１１に対して出力する。
【手続補正５】
【補正対象書類名】明細書
【補正対象項目名】００４３
【補正方法】変更
【補正の内容】
【００４３】
一方、電圧監視回路１７は、ＡＣアダプタ２００から第２外部ＤＣ電圧が供給されている場合、アラームを表示する際に、現在、ＡＣアダプタ２００から第２外部ＤＣ電圧が供給されていることを示す表示を、アラームの表示と同様にＯＳＤの機能を用いて行う。例えば、電圧監視回路１７は、ＡＣアダプタ２００の電圧値が低い、あるいはコンセントプラグの表示などを行う制御信号を、ＣＰＵ回路群１１に対して出力する。
【手続補正６】
【補正対象書類名】特許請求の範囲
【補正対象項目名】全文
【補正方法】変更
【補正の内容】
【特許請求の範囲】
【請求項１】
外部から供給される外部ＤＣ電圧の電圧値を、液晶モニタ内の一の回路に供給する第１内部ＤＣ電圧の電圧値に変換する第１の電圧変換回路と、
前記外部ＤＣ電圧の電圧値を、前記液晶モニタにおける液晶パネルのバックライトの駆動に用いる第２内部ＤＣ電圧の電圧値に変換する第２の電圧変換回路と、
前記第１内部ＤＣ電圧の電圧値を、前記液晶モニタ内の他の回路に供給する第３内部ＤＣ電圧の電圧値に変換する第３の電圧変換回路と、
を有することを特徴とする液晶モニタ。
【請求項２】
前記第１の電圧変換回路が前記外部ＤＣ電圧を降圧して前記第１内部ＤＣ電圧を生成し、
前記第２の電圧変換回路が前記外部ＤＣ電圧を昇圧して前記第２内部ＤＣ電圧を生成し、
前記第３の電圧変換回路が前記第１内部ＤＣ電圧を降圧して前記第３内部ＤＣ電圧を生成することを特徴とする請求項１に記載の液晶モニタ。
【請求項３】
前記外部ＤＣ電圧、前記第１内部ＤＣ電圧、前記第３内部ＤＣ電圧、前記第２内部ＤＣ電圧の各電圧値は、
第２内部ＤＣ電圧の電圧値＞外部ＤＣ電圧の電圧値＞第１内部ＤＣ電圧の電圧値＞第３内部ＤＣ電圧の電圧値
の関係を有する
ことを特徴とする請求項１または請求項２に記載の液晶モニタ。
【請求項４】
前記外部ＤＣ電圧が、単一電圧を出力するバッテリーユニットから供給されていることを特徴とする請求項１から請求項３のいずれか１項に記載の液晶モニタ。
【請求項５】
前記外部ＤＣ電圧が、ＡＣアダプタから供給されていることを特徴とする請求項１から請求項３のいずれか１項に記載の液晶モニタ。
【請求項６】
前記外部ＤＣ電圧の電圧値を検出し、検出された電圧値と予め設定された閾値電圧と比較し、当該閾値電圧より前記検出された電圧値が低い場合、電圧が低下したことを示す電圧低下信号を前記他の回路へ出力する電圧監視回路をさらに有し、
前記他の回路は、前記電圧低下信号が供給されると、ＯＳＤ機能により、前記外部ＤＣ電圧の電圧値が低いことを液晶パネルに画像表示させる
ことを特徴とする請求項１から請求項５のいずれか１項に記載の液晶モニタ。
【手続補正７】
【補正対象書類名】図面
【補正対象項目名】図２
【補正方法】変更
【補正の内容】
【図２】
2012053094.tif 000006
【国際調査報告】
2012053094.tif 000007
2012053094.tif 000008
2012053094.tif 000009
2012053094.tif 000010
2012053094.tif 000011
2012053094.tif 000012
2012053094.tif 000013